(57)【特許請求の範囲】
【請求項１】
飲料用コップの開口部の外周に着脱自在に嵌合する環状周部と環状周部の内部を形成する天井部とから形成された飲料用コップの蓋であって、この蓋の天井部の周部には天井部の内部に形成された凹み部を囲繞する環状凸部が形成されると共に、環状凸部に飲み口用穴が形成された栓付き蓋において、
環状凸部の飲み口用穴に挿着する栓部材は、飲み口用穴に挿着される挿着部と、挿着部の上部に飲み口用穴の周部に係止されるフランジ部が形成されると共に、フランジ部の上部に摘まみ部が形成されてなり、
蓋の凹み部の面内には、栓部材を横臥した状態で嵌合する形状の内周壁が形成され、この内周壁の内側面には収納した栓部材の周部を係止する突起を形成した栓収納部が形成されたことを特徴とする飲料用コップの栓付き蓋。
【請求項２】
栓収納部の底面には、栓収納部に嵌合した栓部材の摘まみ部の先部以外の一部を支持する支持用突起が形成され、栓部材の摘まみ部が支持用突起の高さだけ栓収納部の底面から浮上した収納状態となり、この浮上した摘み部の先部の下方に差し込んだ手の指先で栓部材の摘まみ部の先部を持ち上げ可能としたことを特徴とする請求項１記載の飲料用コップの栓付き蓋。
【請求項３】
栓部材のフランジ部の短幅が、栓部材の挿着部の短幅と同じ幅に形成されていることを特徴とする請求項１又は２記載の飲料用コップの栓付き蓋。
【発明の詳細な説明】
【技術分野】
【０００１】
本発明は、コーヒー等の飲料用コップに飲み口が設けられた蓋を被せた際、この飲み口からコップの内容物がこぼれないようにした飲料用コップの栓付き蓋に関する。
【背景技術】
【０００２】
従来から、紙コップや樹脂成形コップ等の飲料用コップに内容物を入れた状態で、自動販売機や販売店等から持ち運ぶ際、コップの内容物が外部にこぼれないように、コップに蓋を被せることが行われている。この蓋は、所謂「ＬＩＤ（リッド）」と呼ばれる合成樹脂製の成形蓋として周知である。
【０００３】
また、このような蓋付きのコップにおいては、蓋の一部に飲み口用の穴を設け、コップに蓋を被せた状態で飲み口に口をつけて飲めるようにしたものが知られている。
【０００４】
さらに、この蓋にストローを差し込んで飲めるように、蓋の一部にストロー用の穴を設けたものが周知である。
【０００５】
また、コップに収容されたコーヒー等を飲料する場合、砂糖やミルクをコップの中に投入する際に撹拌するマドラーを別途設けたものもある。さらには、このマドラーでコップの蓋の飲み口を塞いで、内容物がこぼれ難くしているものもある。
【０００６】
しかしながら、上記のようなマドラーで蓋の飲み口用の穴を塞いだ場合、コップの内容物を飲む際に、このマドラーを取り出してテーブル等の上に置くと、その置き場所がマドラーに付着した内容物で汚れてしまうという不都合が生じる。
【０００７】
また、このマドラーの置き場所が汚れないようにするためには、マドラーを置くための専用の器等が必要となり、その準備や製造に面倒な手間が必要となるため、コスト的にも無駄が生じてしまう。
【０００８】
なお、現在、自動販売機でコーヒー等を販売する際、コップの開口部に被せる蓋を供給し、キャッピングする機能を備えた自動販売機も存在する。このような自動販売機においては、その蓋に設けられた飲み口に閉塞用の栓を備えて欲しいという要望もあるが、自動販売機で各コップに１個ずつ栓を供給する構造とすることは、自動販売機の機構が複雑になり、コストの面でも不都合が生じる。
【０００９】
一方、上記のようにコップの開口部に蓋を被せるようにした自動販売機では、各コップに蓋を１枚ずつ供給してキャッピングするようにしている。このような装置では、蓋を整列状態にスタッキングしてストックし、その列から蓋を１枚ずつ切り離す機構を設けることによって、自動販売機内に多量の蓋を効率よく設置し得るようにしたものがある。
【００１０】
ところで、後述する特許文献１に記載されている「コップ蓋」は、上記のように、飲み口を設けたコップ用の蓋に関するものであり、このコップ蓋の密封性や、複数のコップ蓋を積み重ねたとき、任意に回転ができ、積み重ねた蓋の切り出しを行うことが可能である。
【００１１】
しかしながら、この特許文献１のコップ蓋には、その蓋の飲み口を塞ぐ機能が備えられていない。このため、コーヒーやジュース等の内容物を収容したコップを持ち運ぶ際、内容物が蓋の飲み口からこぼれ出るという不都合があった。
【先行技術文献】
【特許文献】
【００１２】
【特許文献１】特開２００７−１２６１７４号公報
【発明の概要】
【発明が解決しようとする課題】
【００１３】
本発明は、上記の事情に鑑みてなされたものであり、コーヒー等の飲料用コップに飲み口が設けられた蓋を被せた際、蓋の飲み口からコップの内容物がこぼれないように蓋の飲み口に栓を設けた構造とし、多数の蓋を整列状態にスタッキングする際にも好都合な構造とした飲料用コップの栓付き蓋を提供することを目的とする。
【課題を解決するための手段】
【００１４】
上記の問題を解決するために、本発明の請求項１における飲料用コップの栓付き蓋は、飲料用コップの開口部の外周に着脱自在に嵌合する環状周部と環状周部の内部を形成する天井部とから形成された飲料用コップの蓋であって、この蓋の天井部の周部には天井部の内部に形成された凹み部を囲繞する環状凸部が形成されると共に、環状凸部に飲み口用穴が形成された栓付き蓋において、環状凸部の飲み口用穴に挿着する栓部材は、飲み口用穴に挿着される挿着部と、挿着部の上部に飲み口用穴の周部に係止されるフランジ部が形成されると共に、フランジ部の上部に摘まみ部が形成されてなり、蓋の凹み部の面内には、栓部材を横臥した状態で嵌合する形状の内周壁が形成され、この内周壁の内側面には収納した栓部材の周部を係止する突起を形成した栓収納部が形成されたことを特徴とする。
【００１５】
また、本発明の請求項２における飲料用コップの栓付き蓋は、請求項１において、栓収納部の底面には、栓収納部に嵌合した栓部材の摘まみ部の先部以外の一部を支持する支持用突起が形成され、栓部材の摘まみ部が支持用突起の高さだけ栓収納部の底面から浮上した収納状態となり、この浮上した摘み部の先部の下方に差し込んだ手の指先で栓部材の摘まみ部の先部を持ち上げ可能としたことを特徴とする。
【００１６】
さらに、本発明の請求項３における飲料用コップの栓付き蓋は、請求項１又は２において、栓部材のフランジ部の短幅が、栓部材の挿着部の短幅と同じ幅に形成されていることを特徴とする。
【発明の効果】
【００１７】
本発明は上記のように構成されているため、飲料用コップの開口部に栓付き蓋を嵌合した状態で、このコップを持ち運びする際に、蓋の飲み口用穴に栓部材を挿着すると、この飲み口用穴が閉塞されるため、コップの内容物が蓋の飲み口用穴からこぼれ出ることがない。
【００１８】
また、上記の飲料用コップの内容物を飲むとき、蓋の飲み口用穴から栓部材を抜き出すと、この飲み口用穴が開口され、飲み口用穴に口をつけたり、ストローを差込むことが可能となる。また、このように蓋の飲み口用穴から抜き出した栓部材は、蓋の栓収納部に嵌合しておくことによって、栓部材は蓋と一体的にされる。従って、蓋の飲み口用穴から抜き出した栓部材の置き場所に困ることがなく、栓部材を机の上等に置くことによって周囲を汚したりすることがない。
【００１９】
さらに、上記のように栓収納部に嵌合した栓部材を取り出すときは、栓収納部の延長部に差し込んだ手の指先で栓部材の摘まみ部の先部を持ち上げて容易に取り出すことが可能である。
【００２０】
また、本発明の栓付き蓋を流通する際には、栓部材を蓋の栓収納部に嵌合しておくことによって、栓部材は蓋と一体的にされるため、従来の栓部材のない蓋と同様に扱うことが可能である。
【００２１】
さらに、本発明の栓付き蓋のスタッキング状態においても、栓部材を蓋の栓収納部に嵌合しておくことによって、従来の蓋と同様に扱うことができるため、自動販売機での供給やキャッピング等に支障なく使用することが可能となる。
【図面の簡単な説明】
【００２２】
【図１】本発明の実施例に係る栓付き蓋を飲料用コップに嵌合した状態を示す全体斜視図である。
【図２】本発明の実施例に係る栓付き蓋の栓部材を示す図であり、（ａ）は正面図、（ｂ）は側面図、（ｃ）は下面図である。
【図３】本発明の実施例に係る栓付き蓋を飲料用コップに嵌合した状態を示す斜視図であり、（ａ）は蓋の栓収納部に栓部材を嵌合した状態、（ｂ）は蓋の栓収納部から取り出した栓部材を蓋の飲み口用穴に挿着する前の状態、（ｃ）は栓部材を蓋の飲み口用穴に挿着した状態を示す。
【図４】（ａ）は本発明の実施例に係る栓付き蓋の上面図であり、（ｂ）は（ａ）のＡ−Ａ線矢示断面図であり、（ｃ）は栓付き蓋の側面図を透視的に図示した側面図である。
【図５】（ａ）は本発明の実施例に係る栓付き蓋を上下に２枚重ねる前の状態を示す側面図であり、（ｂ）はそれらの２枚の栓付き蓋を重ね合わせた状態を示す。
【発明を実施するための形態】
【００２３】
以下、本発明の実施例について図面を参照しながら説明する。
【実施例】
【００２４】
本発明の栓付き蓋（以下、単に「蓋」と云う）１は、図１に示すように、飲料用コップ２の開口部の外周に着脱自在に嵌合するものであり、本実施例のように、外形が円形に形成された飲料用コップ２の開口部には、環状周部３の外形が円形に形成された蓋１が適用される。
【００２５】
本実施例において、蓋１は、飲料用コップ２の開口部の外周に嵌合する環状周部３とこの環状周部３の内部を形成する天井部４とから形成されている。
【００２６】
また、上記のように形成された蓋１の天井部４の周部には、天井部４の面内に形成された凹み部５を囲繞する環状凸部６が形成されている。この環状凸部６には、例えば長円形状に形成された飲み口用穴７が形成されている。なお、この飲み口用穴７の形状は、長円形のほかに、円形や楕円形としてもよい。また、本実施例において、飲み口用穴７の内径は、口を付けて飲みやすく、ストローを挿入することができるように、例えば短幅５ｍｍ、長幅１０ｍｍとしている。
【００２７】
このような構成において、図１又は図４(ｃ)に示すように、環状凸部６の飲み口用穴７が形成された部位を他の部位よりもやや上方に隆起した形状８とすることによって、飲み口用穴７に口を付けてコップ２の内容物を飲み易くしている。
【００２８】
また、上記の環状凸部６の飲み口用穴７に挿着する栓部材９は、図２（ａ）〜（ｃ）に示すように、図１の飲み口用穴７に挿着される挿着部９ａの上部に飲み口用穴７の周部に係止されるフランジ部９ｂが形成されると共に、フランジ部９ｂの上部に挿着部９ａの厚さよりも薄い平状の摘まみ部９ｃが形成された構成とされている。なお、上記の構成において、摘まみ部９ｃは円形に図示してあるが、他の形状や何らかの意匠性を有する形状としてもよい。また、摘まみ部９ｃの面内に文字や絵柄を形成したり、印刷等で表示してもよい。さらに、栓部材９の挿着部９ａは、飲み口用穴７に挿入し易いように先部がテーパ状に形成されている。
【００２９】
上記の栓部材９は、図２(ｂ)に示すように、この栓部材９のフランジ部９ｂの短幅Ｌ３が、栓部材９の挿着部９ａの短幅Ｌ４と同じ幅に形成されている。このような構成により、栓部材９のフランジ部９ｂの短幅を最小限度縮小した構成とすることが可能となる。また、この栓部材９において、図２(ｃ)に示すように、栓部材９の挿着部９ａの厚さＴ１よりも摘まみ部９ｃの厚さＴ２が薄く形成されている。
【００３０】
また、このような構成においては、図２（ａ）に示すように、栓部材９のフランジ部９ｂの長幅Ｌ１が、栓部材９の挿着部９ａの長幅Ｌ２よりも長く形成されている。このような構成においては、図２（ａ）に示すように、栓部材９のフランジ部９ｂの両側に左右の突出部１１ａ、１１ｂが形成されている。また、図３(ｂ)、(ｃ)に示すように、栓部材９の挿着部９ａを蓋１の飲み口用穴７に挿着すると共に、フランジ部９ｂの両側に左右の突出部１１ａ、１１ｂが蓋１の飲み口用穴７の周部に係止された状態となって飲み口用穴７が閉塞される。
【００３１】
さらに、本実施例において、図１に示すように、蓋１の凹み部５の面内には溝状の栓収納部１２が形成されている。この栓収納部１２は、図１又は図４（ａ）に示すように栓部材９を横臥した状態で嵌合する形状の内周壁１２ａが形成され、この内周壁１２ａは栓部材９の外周形状に倣った内周形状に形成されている。
【００３２】
また、図４（ｂ）に示すように、内周壁１２ａの内側面の両側部には栓収納部１２に収納した栓部材９の周部を嵌合する突起１２ｂ、１２ｂが形成されている。さらに、図１又は図４(ｂ)に示すように、この栓収納部１２には、その内周壁１２ａ及び底面１２ｄを延長した延長部１２ｃが形成されている。
【００３３】
また、図３（ａ）に示すように、上記の栓収納部１２の底面１２ｄには、栓収納部１２に嵌合した栓部材９の摘まみ部９ｃの先部以外の一部を支持する支持用突起１２ｅが形成され、栓部材９の摘まみ部９ｃが支持用突起１２ｅの高さだけ栓収納部１２の底面１２ｄから浮上した収納状態となる。従って、図３（ａ）の一点鎖線で示すように、この浮上した摘まみ部９ｃの先部の下方の隙間に差し込んだ手の指先で栓部材９の摘まみ部９ｃを容易に持ち上げることが可能となる。
【００３４】
また、図３（ｂ）、（ｃ）に示すように、栓部材９の挿着部９ａを蓋１の飲み口用穴７に挿入すると、飲み口用穴７が閉塞されることにより、飲料用コップ２を持ち運ぶ際でも、このコップの内容物が飲み口用穴７から飛び出ることがない。
【００３５】
なお、上記の構成において、本実施例では、図５（ａ）、(ｂ)に示すように、蓋１のスタッキングハイト、即ち、蓋１を積み重ねたときの実質的な上下方向の蓋１の厚さＨは、例えば、５．４ｍｍで設計されている。また、各蓋１の環状凸部６の下部を裾広がり形状に形成することにより、上下の蓋１の裾広がり部１３、１３の間に隙間１４が存在することによって、蓋１を１個ずつ切り離すドロップリング装置により切り離し易く設計されている。
【００３６】
また、自動販売機ではなく、人が手作業でコップに蓋をする場合において、流通の際の利便性を考慮し、また蓋をバラ入れの状態にすると変形し易いことを考慮して、図５（ａ）に示すように、栓収納部１２の底面１２ｄと蓋１の最底面との間に隙間Ｇを形成することにより、蓋１を上下方向に整列状態でスタッキングすることを可能としている。このように蓋１を整列状態でスタッキングしてポリ袋等に入れて流通させることにより、使用時においては蓋を１枚ずつ取り外して供給することが可能となる。
【００３７】
なお、図１に示すように、蓋１の凹み部５の内周壁の所定箇所に支持部１０が形成され、上記のようなスタッキングにおいては、図５(ｂ)に示すように、下方の蓋１の支持部１０の上端で上方の蓋１の凹み部５の底面の周部を支持する構成とされている。
【００３８】
また、本実例において、蓋１のスタッキング高さを高くすることにより、例えば、図１の凹み部５に砂糖等の甘味料等も併せてセットすることが可能となる。
【産業上の利用可能性】
【００３９】
本発明の飲料用コップの栓付き蓋は、コーヒー等の飲料用コップに飲み口が設けられた蓋を被せた際、蓋の飲み口からコップの内容物がこぼれないように蓋の飲み口に栓を設けた構造とし、多数の蓋を整列状態にスタッキングする際にも好都合な構造とした飲料用コップの栓付き蓋として利用可能である。
【符号の説明】
【００４０】
１  蓋（栓付き蓋）
２  飲料用コップ
３  環状周部
４  天井部
５  凹み部
６  環状凸部
７  飲み口用穴
８  隆起した形状
９  栓部材
９ａ  挿着部
９ｂ  フランジ部
９ｃ  摘まみ部
１０  支持部
１１ａ、１１ｂ  左右の突出部
１２  栓収納部
１２ａ  内周壁
１２ｂ  突起
１２ｃ  延長部
１２ｄ  底面
１２ｅ  支持用突起
１３  裾広がり部
１４  隙間
【図１】
0005360728.tif 000002
【図２】
0005360728.tif 000003
【図３】
0005360728.tif 000004
【図４】
0005360728.tif 000005
【図５】
0005360728.tif 000006